(57)【特許請求の範囲】
【請求項１】
箸を入れる箸箱本体とその蓋からなり、箸箱本体とその蓋はそれぞれ中央で分割し、分割された二つの箸箱本体の一方の側壁は連結部で連結され、他方の側壁は一方の分割部分に留部材を設け他方の分割部分には被留部材を設けて連結自在にできる構成として、分割された蓋の分割側とは反対側に回動部材が設けられ、分割された箸箱本体の分割側とは反対側に被回動部材が設けられ、回動部材を被回動部材に取付けることにより、蓋を開閉自在にできる構成としたことを特徴とした箸箱。
【請求項２】
一方の側壁には分割された箸箱本体同士を結合するための結合部を設けたことを特徴とした請求項１の箸箱。
【請求項３】
箸を入れる箸箱本体とその蓋からなり、箸箱本体とその蓋はそれぞれ中央で分割し、分割された二つの箸箱本体の一方の側壁は連結部で連結され、他方の側壁は一方の分割部分には一端に留部材を設けた延長部材を連結部材を介して連結し、他方の分割部分には第１被留部材を設けるとともに側壁に分割された箸箱本体の分割部分を合せた時に留部材を留めるための第２被留部材を設けた構成として、分割された蓋の分割側とは反対側に回動部材が設けられ、分割された箸箱本体の分割側とは反対側に被回動部材が設けられ、回動部材を被回動部材に取付けることにより、蓋を開閉自在にできる構成としたことを特徴とした箸箱。
【発明の詳細な説明】
【技術分野】
【０００１】  本発明は箸を入れる箸箱に関するものである。
【背景技術】
【０００２】  最近は弁当を食べる人が増え、箸を箸箱に入れて持参している人が多い。また、弁当を持たなくてもマイ箸ということで自分の箸を箸箱に入れて携帯している人も多い。そのような人たちのなかで食べている時にテーブル等に箸を直置きして箸先を汚したくない人は箸箱を箸置き代わりにして利用している。【０００３】  そこで、このような人たちの要望に対応して、例えば、実用新案登録第３１４６０９３号に記載されているように、箸箱の上部に箸置きを設置し、使用中の箸が置けるような構成が考案されている。
【先行技術文献】
【特許文献】
【０００４】
【特許文献１】実用新案登録第３１４６０９３号
【発明の概要】
【発明が解決しようとする課題】
【０００５】  この実用新案登録第３１４６０９３号に記載されている箸箱では、箸箱の蓋に箸置きが取付けられていて、箸を衛生的に持ち運べるとともに、箸先を汚したくないと思っている人に対応している。しかし、中には口紅や食べ物が付着している使用中の箸先を周囲の人に見られることを嫌がる人もあり、そのような人にとってはこの文献の箸箱でも対応できていない。【０００６】  口紅や食べ物が付着している箸先を周囲の人に見られることを嫌がる人に対応して、箸先を隠してくれるような箸箱は今まで開発されていなかった。【０００７】  そこで、本発明者は箸を持ち運ぶために利用する箸箱を、箸先を隠してくれるような箸置きにできないか考えた。
【課題を解決するための手段】
【０００８】  本発明の箸箱は箸を入れる箸箱本体とその蓋からなり、箸箱本体とその蓋はそれぞれ中央で分割し、分割された二つの箸箱本体の一方の側壁は連結部で連結され、他方の側壁は一方の分割部分に留部材を設け他方の分割部分には被留部材を設けて連結自在にできる構成として、分割された蓋の分割側とは反対側に回動部材が設けられ、分割された箸箱本体の分割側とは反対側に被回動部材が設けられ、回動部材を被回動部材に取付けることにより、蓋を開閉自在にできる構成としたことを特徴とするものである。【０００９】  また、一方の側壁には分割された箸箱本体同士を結合するための結合部を設けたことを特徴とするものである。【００１０】  また、箸を入れる箸箱本体とその蓋からなり、箸箱本体とその蓋はそれぞれ中央で分割し、分割された二つの箸箱本体の一方の側壁は連結部で連結され、他方の側壁は一方の分割部分には一端に留部材を設けた延長部材を連結部材を介して連結し、他方の分割部分には第１被留部材を設けるとともに側壁に分割された箸箱本体の分割部分を合せた時に留部材を留めるための第２被留部材を設けた構成として、分割された蓋の分割側とは反対側に回動部材が設けられ、分割された箸箱本体の分割側とは反対側に被回動部材が設けられ、回動部材を被回動部材に取付けることにより、蓋を開閉自在にできる構成としたことを特徴とするものである。
【発明の効果】
【００１１】  本願発明は箸を入れる箸箱本体とその蓋をそれぞれ中央で分割し、分割された箸箱本体は分割側とは反対側に被回動部材が設けられ、分割された蓋の分割側とは反対側に回動部材が設けられ、箸箱本体の被回動部材に蓋の回動部材を取付けることにより蓋を開閉自在とし、蓋を回動部材を介して垂直に立て、箸箱本体の一方の側壁Ｂに取付けられた連結部材を介して箸箱本体を回動させることにより、箸箱が箸先を隠せる箸置きとなる構成となり、目隠しができテーブルと箸先を衛生的にしながら、周囲の視線から口紅や食べ物が付着し汚れた使用中の箸の箸先を隠す事が可能である。【００１２】  そして結合部を設けることで、分割された箸箱を箸置きとして使用する際に安定した箸置きとなる。【００１３】  また、延長部材を設けたことで、箸箱を箸置きとして使用する際に安定した箸置きとなり、弁当の中に入っている、醤油の入れ物や仕切りなどを一時的に置く事もできる。
【図面の簡単な説明】
【００１４】
【図１】  本発明の箸箱本体と蓋を２分割した図面。
【図２】  箸箱を表した図。
【図３】  箸箱を箸置きにした図面。
【図４】  実設例１の箸箱本体と蓋を２分割した図面。
【図５】  箸箱を表した図面。
【図６】  箸箱を箸置きにした図面。
【発明を実設するための形態】
【００１５】  以下本発明にかかる箸箱について図１から図３に基づいて説明する。
【００１６】  本発明の箸箱１は図１に図示されているように、箸箱本体１０１と蓋１０４で構成されている。箸箱本体１０１と蓋１０４はそれぞれ中央で分割され、箸箱本体１０１は箸箱本体１０１ａと箸箱本体１０１ｂに、蓋１０４は蓋１０４ａ、蓋１０４ｂで構成されている。
【００１７】  箸箱本体１０１は、長手方向の中央で分割され、箸箱本体１０１に蓋１０４を開閉自在に取付けるために箸箱本体１０１ａの分割側とは反対側に被回動部材１０２ａを設け、箸箱本体１０１ｂの分割側とは反対側に被回動部材１０２ｂが設けられ、箸箱本体１０１に蓋１０４を閉じて固定するために箸箱本体１０１ａの側壁の上部に被蓋留部材１０３ａを設け、箸箱本体１０１ｂの側壁の上部に被蓋留部材１０３ｂを設けている。そして、一方の側壁Ｂの箸箱本体１０１ａの分割側と箸箱本体１０１ｂの分割側を第１連結部材１０９で連結して、他方の側壁Ａの箸箱本体１０１ａの分割部分に凸部である留部材１０７を設けて箸箱本体１０１ｂの分割部分に設けた凹部である被留部材１０８から外して分割された箸箱本体１０１が回動できる構成である。また、箸置きとして安定させるために、箸箱本体１０１ａの一方の側壁Ｂに凸部である結合部材１１０を設け、箸箱本体１０１ｂの一方の側壁Ｂには箸箱本体１０１ａに設けた結合部材１１０に結合させるための凹部である被結合部材１１１を設けて結合させる構造である。
【００１８】  蓋１０４は、長手方向の中央で分割され、箸箱本体１０１に蓋１０４を開閉自在に取付けるために蓋１０４ａの分割側とは反対側に回動部材１０５ａ設け、蓋１０４ｂの分割側とは反対側に回動部材１０５ｂが設けられ、箸箱本体１０１ａに設けた被回動部材１０２ａに蓋１０４ａに設けた回動部材１０５ａを開閉自在に取付け、箸箱本体１０１ｂに設けた被回動部材１０２ｂに蓋１０４ｂに設けた回動部材１０５ｂを開閉自在に取付けている。箸箱本体１０１に蓋１０４を閉じて固定するために蓋１０４ａの下面に箸箱本体１０１ａに設けた被蓋留部材１０３ａに固定するための蓋留部材１０６ａを設け、蓋１０４ｂの下面に箸箱本体１０１ｂに設けた被蓋留部材１０３ｂに固定するための蓋留部材１０６ｂが設けられている。
【００１９】  次に箸箱１を箸箱として使用する時の構成を図２により説明すると、箸箱本体１０１の他方の側壁Ａの箸箱本体１０１ａの分割部分に設けた留部材１０７を側壁Ａの箸箱本体１０１ｂの分割部分に設けた被留部材１０８に固定し、箸箱本体１０１ａに設けた被回動部材１０２ａに取付けられた蓋１０４ａに設けた回動部材１０５ａを介して蓋１０４ａを閉じ、蓋１０４ａに設けた蓋留部材１０６ａを箸箱本体１０１ａに設けた被蓋留部材１０３ａに固定し、箸箱本体１０１ｂに設けた被回動部材１０２ｂに取付けられた蓋１０４ｂに設けた回動部材１０５ｂを介して蓋１０４ｂを閉じ、蓋１０４ｂに設けた蓋留部材１０６ｂを箸箱本体１０１ｂに設けた被蓋留部材１０３ｂに固定させ箸箱１とする構成である。
【００２０】  次に箸箱１を箸先隠し部のある箸置きとして使用する場合の構成を図３により説明すると、図２に図示されている箸箱の構成から、箸箱本体１０１ａに設けた被蓋留部材１０３ａから蓋１０４ａに設けた蓋留部材１０６ａを外し、箸箱本体１０１ｂに設けた被蓋留部材１０３ｂから蓋１０４ｂに設けた蓋留部材１０６ｂを外して、箸箱本体１０１ａに設けた被回動部材１０２ａに取付けられた蓋１０４ａに設けた回動部材１０５ａを介して蓋１０４ａを垂直に立て、箸箱本体１０１ｂに設けた被回動部材１０２ｂに取付けられた蓋１０４ｂに設けた回動部材１０５ｂを介して蓋１０４ｂを垂直に立てて、箸箱本体１０１の他方の側壁Ａの箸箱本体１０１ａの分割部分に設けた留部材１０７を箸箱本体１０１ｂの分割部分に設けた被留部材１０８から外して、一方の側壁Ｂの箸箱本体１０１ａの分割側と箸箱本体１０１ｂの分割側を連結した第１連結部材１０９を介して分割された箸箱本体１０１を回動させ、箸箱本体１０１ａの一方の側壁Ｂに設けた結合部材１１０と箸箱本体１０１ｂの一方の側壁Ｂに設けた被結合部材１１１を結合させて安定した箸先隠し部のある箸置きとした構成である。結合の構成は箸置きとして使用する際に安定すればよく、特に限定するものではない。
【実設例１】
【００２１】  つぎに実設例１について図４から図６を用いて説明する。本発明の箸箱２は図４に記載されているように、箸箱本体２０１と蓋２０４で構成されている。箸箱本体２０１と蓋２０４はそれぞれ中央で分割され、箸箱本体２０１は箸箱本体２０１ａと箸箱本体２０１ｂに、蓋２０４は蓋２０４ａ、蓋２０４ｂで構成されている。
【００２２】  箸箱本体２０１は、長手方向の中央で分割され、箸箱本体２０１に蓋２０４を開閉自在に取付けるために箸箱本体２０１ａの分割側とは反対側に被回動部材２０２ａを設け、箸箱本体２０１ｂの分割側とは反対側に被回動部材２０２ｂが設けられ、箸箱本体２０１に蓋２０４を閉じて固定するために箸箱本体２０１ａの側壁の上部に被蓋留部材２０３ａを設け、箸箱本体２０１ｂの側壁の上部に被蓋留部材２０３ｂを設けている。そして、一方の側壁Ｂの箸箱本体２０１ａの分割側と箸箱本体２０１ｂの分割側を第１連結部材２０９で連結して、他方の側壁Ａの箸箱本体２０１ａの分割側に第２連結部材２０９ａで連結されている箸箱本体２０１ａと箸箱本体２０１ｂを並列させた箸箱本体２０１の長さの延長部材２１２の一端に凸部である留部材２０７を設けて、箸箱本体２０１ｂの側壁Ａに設けた箸箱本体２０１ｂの分割部分から延長部材２１２の長さの位置に設けた凹部である第２被留部材２０８ｂから外して分割された箸箱本体２０１が回動できる構成である。そして、箸置きとして使用する時に延長部材２１２の一端に設けた留部材２０７を固定する第１被留部材２０８ａが箸箱本体２０１ｂの分割部分に設けられている。
【００２３】  蓋２０４は、長手方向の中央で分割され、箸箱本体２０１に蓋２０４を開閉自在に取付けるために蓋２０４ａの分割側とは反対側に回動部材２０５ａ設け、蓋２０４ｂの分割側とは反対側に回動部材２０５ｂが設けられ、箸箱本体２０１ａに設けた被回動部材２０２ａに蓋２０４ａに設けた回動部材２０５ａを開閉自在に取付け、箸箱本体２０１ｂに設けた被回動部材２０２ｂに蓋２０４ｂに設けた回動部材２０５ｂを開閉自在に取付けている。箸箱本体２０１に蓋２０４を閉じて固定するために蓋２０４ａの下面に箸箱本体２０１ａに設けた被蓋留部材２０３ａに固定するための蓋留部材２０６ａを設け、蓋２０４ｂの下面に箸箱本体２０１ｂに設けた被蓋留部材２０３ｂに固定するための蓋留部材２０６ｂが設けられている。
【００２４】  次に箸箱２を箸箱として使用する時の構成を図５により説明すると、箸箱本体２０１の他方の側壁Ａの箸箱本体２０１ａの分割側に第２連結部材２０９ａで連結されている延長部材２１２の一端に設けた留部材２０７を側壁Ａの箸箱本体２０１ｂの側壁Ａに設けた第２被留部材２０８ｂに固定し、箸箱本体２０１ａに設けた被回動部材２０２ａに取付けられた蓋２０４ａに設けた回動部材２０５ａを介して蓋２０４ａを閉じ、蓋２０４ａに設けた蓋留部材２０６ａを箸箱本体２０１ａに設けた被蓋留部材２０３ａに固定し、箸箱本体２０１ｂに設けた被回動部材２０２ｂに取付けられた蓋２０４ｂに設けた回動部材２０５ｂを介して蓋２０４ｂを閉じ、蓋２０４ｂに設けた蓋留部材２０６ｂを箸箱本体２０１ｂに設けた被蓋留部材２０３ｂに固定させ箸箱２とする構成である。
【００２５】  第１連結部材１０９、第１連結部材２０９、第２連結部材２０９ａの素材及び構成は清潔さが保て折り曲げ自在で強度があれば、特に限定するものではない。
【００２６】  また、蓋留部材１０６ａと被蓋留部材１０３ａ、蓋留部材１０６ｂと被蓋留部材１０３ｂ、留部材１０７と被留部材１０８、蓋留部材２０６ａと被蓋留部材２０３ａ、蓋留部材２０６ｂと被蓋留部材２０３ｂ、留部材２０７と第１被留部材２０８ａ、第２被留部材２０８ｂの結合は、持ち歩く際に外れにくく、使用する際には容易に取り外しができ、壊れにくい構成ならば特に限定するものではない。
【００２７】  次に箸箱２を箸先隠し部のある箸置きとして使用する場合の構成を図６により説明すると、図５に図示されている箸箱の構成から、箸箱本体２０１ａに設けた被蓋留部材２０３ａから蓋２０４ａに設けた蓋留部材２０６ａを外し、箸箱本体２０１ｂに設けた被蓋留部材２０３ｂから蓋２０４ｂに設けた蓋留部材２０６ｂを外して、箸箱本体２０１ａに設けた被回動部材２０２ａに取付けられた蓋２０４ａに設けた回動部材２０５ａを介して蓋２０４ａを垂直に立て、箸箱本体２０１ｂに設けた被回動部材２０２ｂに取付けられた蓋２０４ｂに設けた回動部材２０５ｂを介して蓋２０４ｂを垂直に立てて、箸箱本体２０１の他方の側壁Ａの箸箱本体２０１ａの分割部分に第２連結部材２０９ａで連結された延長部材２１２の一端に設けた留部材２０７を箸箱本体２０１ｂの側壁Ａに設けた箸箱本体２０１ｂの分割部分から延長部材２１２の長さの位置に設けた第２被留部材２０８ｂから外して、一方の側壁Ｂの箸箱本体２０１ａの分割側と箸箱本体２０１ｂの分割側を連結した第１連結部材２０９を介して分割された箸箱本体２０１を回動させ、他方の側壁Ａの箸箱本体２０１ａに第２連結部材２０９ａで連結された延長部材２１２の一端に設けた留部材２０７を箸箱本体２０１ｂの分割部分に設けた第１被留部材２０８ａに固定して箸先隠し部のある箸置きとした構成である。箸箱本体２０１に延長部材２１２を配する構成により、箸先を隠す安定した箸置きとなり、醤油の入れ物や仕切りなどを一時的に置くことも可能となる。延長部材２１２の構成は箸先を隠せる安定した箸置きとなり物を置くことができる構成であればよく、特に限定するものではない。
【００２８】  箸箱本体１０１ａ、箸箱本体１０１ｂ、蓋１０４ａ、蓋１０４ｂ、箸箱本体２０１ａ、箸箱本体２０１ｂ、蓋２０４ａ、蓋２０４ｂ、延長部材２１２の素材においては、陶器、磁器、プラスチック、ゴム、鉄などの繰り返し洗浄でき、清潔さを保てるものが理想であるが、場合によっては紙、布、木材など特に限定するものではない。
【００２９】  箸箱本体１０１ａ、箸箱本体１０１ｂ、蓋１０４ａ、蓋１０４ｂ、箸箱本体２０１ａ、箸箱本体２０１ｂ、蓋２０４ａ、蓋２０４ｂ、  第１連結部材１０９、第１連結部材２０９、第２連結部材２０９ａ、延長部材２１２の大きさ、高さ、幅、形、デザイン、色などは箸箱１及び箸箱２が箸置きと箸先隠しを兼ねる構成であればよく特に限定するものではない。また、分割個数も特に限定するものではない。
【符号の説明】
【００３０】１          箸箱
１０１      箸箱本体
１０１ａ    箸箱本体
１０１ｂ    箸箱本体
１０２ａ    被回動部材
１０２ｂ    被回動部材
１０３ａ    被蓋留部材
１０３ｂ    被蓋留部材
１０４      蓋
１０４ａ    蓋
１０４ｂ    蓋
１０５ａ    回動部材
１０５ｂ    回動部材
１０６ａ    蓋留部材
１０６ｂ    蓋留部材
１０７      留部材
１０８      被留部材
１０９      第１連結部材
１１０      結合部材
１１１      被結合部材
Ａ          箸箱本体の側面
Ｂ          箸箱本体の側面
２          箸箱
２０１      箸箱本体
２０１ａ    箸箱本体
２０１ｂ    箸箱本体
２０２ａ    被回動部材
２０２ｂ    被回動部材
２０３ａ    被蓋留部材
２０３ｂ    被蓋留部材
２０４      蓋
２０４ａ    蓋
２０４ｂ    蓋
２０５ａ    回動部材
２０５ｂ    回動部材
２０６ａ    蓋留部材
２０６ｂ    蓋留部材
２０７      留部材
２０８ａ    第１被留部材
２０８ｂ    第２被留部材
２０９      第１連結部材
２０９ａ    第２連結部材
２１２      延長部材
Ａ          箸箱本体の側面
Ｂ          箸箱本体の側面
【要約】
【課題】  箸箱を、箸置きと箸先を隠すための箸先隠し部とに変更して使用できるようにした箸箱を開発すること。
【解決手段】  箸を入れる箸箱本体１０１とその蓋１０４からなり、箸箱本体１０１とその蓋１０４はそれぞれ中央で分割し、分割された二つの箸箱本体１０１の一方の側壁Ｂは連結部で連結され、他方の側壁Ａは一方の分割部分に留部材１０７を設け他方の分割部分には被留部材１０８を設けて連結自在にできる構成として、分割された蓋１０４ａ、蓋１０４ｂの分割側とは反対側に回動部材１０５ａ、回動部材１０５ｂが設けられ、分割された箸箱本体１０１ａ、箸箱本体１０１ｂの分割側とは反対側に被回動部材１０２ａ、被回動部材１０２ｂが設けられ、回動部材１０５ａ、回動部材１０５ｂを被回動部材１０２ａ、被回動部材１０２ｂに取付けることにより、蓋１０４ａ、蓋１０４ｂを開閉自在とすることが可能となる。
【選択図】図１【図１】
0004648495.tif 000002
【図２】
0004648495.tif 000003
【図３】
0004648495.tif 000004
【図４】
0004648495.tif 000005
【図５】
0004648495.tif 000006
【図６】
0004648495.tif 000007